(57)【特許請求の範囲】
【請求項１】
ＳＡＣＤ（スーパーオーディオＣＤ）に記録されたスーパーオーディオ信号を再生部によりオーディオデータに再生し、この再生オーディオデータをオーディオデコーダによりデコードし、このオーディオデータをスピーカ側に出力するディスク再生装置において、
前記オーディオデコーダの出力信号をパルスコードモデュレーション信号に変換するＰＣＭ変換部と、このＰＣＭ変換部からのＰＣＭ信号を高速フーリエ変換するＦＦＴと、このＦＦＴの周波数信号を受けてその周波数マップ成分から最高周波数が有るか否かを解析する解析手段と、この解析手段から出力される最高周波数のダイナミックレンジを表示する表示手段と、を備えたことを特徴とするディスク再生装置。
【請求項２】
ＳＡＣＤ、このＳＡＣＤとは再生周波数帯域が異なるＣＤ（コンパクトディスク）およびＤＶＤ（ディジタルバーサタイルディスク）に記録されたオーディオ信号を再生可能な再生部によりオーディオデータに再生し、この再生オーディオデータをそれぞれのオーディオデコーダによりデコードし、このオーディオデータの何れかをスピーカ側に出力するディスク再生装置であって、
前記ＳＡＣＤ用オーディオデコーダの出力信号をパルスコードモデュレーション信号に変換するＰＣＭ変換部と、このＰＣＭ変換部からのＰＣＭ信号を高速フーリエ変換するＦＦＴと、このＦＦＴの周波数信号を受けてその周波数マップ成分から最高周波数が有るか否かを解析する解析手段と、この解析手段から出力される最高周波数のダイナミックレンジを表示する表示手段と、を備えたことを特徴とするディスク再生装置。
【発明の詳細な説明】
【０００１】
【発明の属する技術分野】
本発明は、光ディスクに記録されたオーディオ信号を再生するディスク再生装置に係り、特に、ＳＡＣＤから再生した周波数信号を解析してダイナミックレンジを表示し得るディスク再生装置に関する。
【０００２】
【従来の技術】
光ディスクに記録された信号を再生して表示する装置は、利便性を高めるために各種の新機能が提案されている。その一例として、ダイナミックレンジコンプレッション機能を有したディスク再生装置が知られている（例えば、特許文献１参照）。
このものは、ＤＶＤを再生するもので、オーディオデータまたはサブピクチャデータが複数のストリームを有する場合に、再生音の小音量を強調するダイナミックレンジコンプレッション機能もしくはセリフを聞き易くするダイアログエンハンサー機能をオンに設定する制御を行う制御部を備えている。
これにより、再生情報の種類に応じてダイナミックレンジコンプレッション機能またはダイアログエンハンサー機能を自動的にオン・オフすることができるというものである。
【０００３】
また、オーディオストリームのビットレートを簡単に表示することを目的とした音声再生装置が知られている（例えば、特許文献２参照）。
この音声再生装置は、パック・ヘッダとオーディオ・パケットで構成されるオーディオ・パックからパケット・データを取り出し、そのデータを復号して出力するもので、第１の検出手段と、第２の検出手段と、第１の算出手段と、判断手段および変換手段を備えている。
これにより、オーディオストリームのビットレートを表示できるうえ、ＤＴＳ（Digital    Theather  Sysrem）のビットレート表示については、ＤＴＳの復号機能がなくても簡単にできるようになっている。
【０００４】
さらに、ＳＡＣＤに記録された音声信号を再生する装置において、Ｄ−Ａ変換器を無駄にしないことを目的とする音声信号再生装置が提案されている（例えば、特許文献３参照）。
この音声信号再生装置は、ｎチャンネルのディジタル音声信号をバスマネージメント機能回路に供給し、この回路にて低周波音声信号を含む（ｎ＋１）チャンネルのディジタル音声信号を得るようにしている。
そして、このバスマネージメント機能回路からの低周波音声信号をＤ−Ａ変換器を介さずにローパスフィルタを介して低音用スピーカに供給する構成としている。よって、Ｄ−Ａ変換器を省略できるというものである。
【０００５】
また、ＳＡＣＤ再生機能付きのオーディオ再生装置及びＤＶＤプレイヤーも知られている（例えば、特許文献４参照）。
このものは、少なくとも２種類の再生周波数帯域が異なるコンパクトディスクを再生できる再生手段と、再生するコンパクトディスクの種類に応じてスピーカーの構成を設定するスピーカー設定手段とを備えて構成されている。
これにより、ＳＡＣＤとＤＶＤの両方とも完全な音を楽しむことができ、かつ、スピーカー設定の煩わしさから解放されるというものである。
【０００６】
【特許文献１】
特開２００２−２９０９２０公報
【特許文献２】
特開平１１−３４５４５７公報
【特許文献３】
特開２００３−５２０９７公報
【特許文献４】
特開２００２−３６９２９９公報
【０００７】
【発明が解決しようとする課題】
ところで、ＳＡＣＤを再生可能な再生装置では、ＳＡＣＤの再生情報から周波数信号を解析してダイナミックレンジを知りたいというユーザーの要望がある。
しかし、上記特許文献１のディスク再生装置や特許文献２のディスク再生装置は、ＳＡＣＤの再生機能を有しないことから、ＳＡＣＤの再生周波数信号を解析してダイナミックレンジを表示するといったことはできなかった。
また、特許文献３の声信号再生装置と特許文献４のオーディオ再生装置及びＤＶＤプレイヤーは、ＳＡＣＤの再生機能を有しているが、ＳＡＣＤの再生周波数信号を解析してダイナミックレンジを表示する機能を備えていない。よって、何れもユーザーの要望を満たすことはできなかった。
【０００８】
本発明は、上記課題に鑑みて創案されたもので、スーパーオーディオＣＤからの再生周波数信号を解析してダイナミックレンジを表示することにより、ユーザーの興趣を高めることができるディスク再生装置を提供することを目的としている。
【０００９】
【課題を解決するための手段】
上記目的を達成するため、本発明のうち請求項１に記載の発明は、ＳＡＣＤ（スーパーオーディオＣＤ）に記録されたスーパーオーディオ信号を再生部によりオーディオデータに再生し、この再生オーディオデータをオーディオデコーダによりデコードし、このオーディオデータをスピーカ側に出力するディスク再生装置において、前記オーディオデコーダの出力信号をパルスコードモデュレーション信号に変換するＰＣＭ変換部と、このＰＣＭ変換部からのＰＣＭ信号を高速フーリエ変換するＦＦＴと、このＦＦＴの周波数信号を受けてその周波数マップ成分から最高周波数が有るか否かを解析する解析手段と、この解析手段から出力される最高周波数のダイナミックレンジを表示する表示手段と、を備えたことを特徴としている。
【００１０】
また、請求項２に記載の発明は、ＳＡＣＤ、このＳＡＣＤとは再生周波数帯域が異なるＣＤ（コンパクトディスク）およびＤＶＤ（ディジタルバーサタイルディスク）に記録されたオーディオ信号を再生可能な再生部によりオーディオデータに再生し、この再生オーディオデータをそれぞれのオーディオデコーダによりデコードし、このオーディオデータの何れかをスピーカ側に出力するディスク再生装置であって、前記ＳＡＣＤ用オーディオデコーダの出力信号をパルスコードモデュレーション信号に変換するＰＣＭ変換部と、このＰＣＭ変換部からのＰＣＭ信号を高速フーリエ変換するＦＦＴと、このＦＦＴの周波数信号を受けてその周波数マップ成分から最高周波数が有るか否かを解析する解析手段と、この解析手段から出力される最高周波数のダイナミックレンジを表示する表示手段と、を備えたことを特徴としている。
【００１１】
【発明の実施の形態】
以下、本発明の実施の形態について、図示例を参照しながら説明する。
図１は、本発明の実施の形態に係るディスク再生装置の電気的構成を示すブロック線図である。
このディスク再生装置は、ＤＶＤ、ＣＤおよびＳＡＣＤの各ディスク１に記録されたＡＶ（Audio Visual）情報を再生可能で、そのＡＶ情報をモニタ（テレビジョン受信機）等に出力するようになっており、さらに、ＳＡＣＤの再生情報から最高周波数のダイナミックレンジを表示部１２に表示可能な構成となっている。ディスク１は、それぞれの記録トラックの内周部から外周部に向けてリードイン領域、データ記録領域、リードアウト領域を有している。
そして、ＤＶＤのデータ記録領域には、映画等の情報が記録され、ＣＤのデータ記録領域には、音楽の楽曲情報が記録され、ＳＡＣＤのデータ記録領域にも、音楽の楽曲情報が記録されている。
【００１２】
このＳＡＣＤは、ＤＳＤ（Direct  Stream  Digital）方式によって、音楽情報を記録・再生するようになっている。
即ち、従来のＣＤでは、サンプリング周波数４４．１ＫＨｚ、１６ビットのＰＣＭ録音が採用されている。しかし、このＤＳＤのサンプリング周波数は、ＣＤの６４倍と高速であり、録音の周波数帯域を１００ＫＨｚの範囲まで拡張し、ダイナミックレンジも可聴帯域の１２０ｄｂ以上にまで拡げている。
このＤＳＤによる録音は、アナログ信号をオーバーサンプリングＡ／Ｄコンバータにより１ビットのディジタル信号に変換した後、デルタ・シグマ変調方式によってダイレクトに記録する。一方、再生は、アナログ・パスフィルターを通すのみで簡単に行える。
このように、ＤＳＤによると、従来のＣＤで採用されていたＰＣＭ方式と異なり、原音に近い音の再生が可能である。
【００１３】
ディスク再生装置は、図１に示す如くディスク再生部２、データ復調部３、データ分離部４、ＡＶデコーダ５、Ｄ／Ａコンパレータ６、ビデオ出力部７、オーディオ出力部８、信号変換回路部、インターフェース部１４および制御部１５等を備えて構成されている。
ディスク再生部２は、ＤＶＤ再生部、ＣＤ再生部およびＳＡＣＤ再生部からなり、何れかの再生部が記録データを再生すると、その再生データをデータ復調部３に出力する。
このデータ復調部３は、再生データを復調してデータ分離部４とＤ／Ａコンパレータ６とに送出する。
データ分離部４は、復調データをビデオデータ、オーディオデータまたはサブピクチャデータに分離してＡＶデコーダ５に出力する。
このＡＶデコーダ５は、ビデオデコーダ５ａ、サブピクチャデコーダ（図示省略）およびオーディオデコーダ５ｂを備えて構成されている。
【００１４】
また、このＡＶデコーダ５は、システムクロックを有しており、このシステムクロックを基準に前記各デコーダ５ａ，５ｂのデコードを行うようになっている。即ち、ビデオデコーダ５ａは、データ分離部４から出力されたビデオデータをプレゼンテーションタイムスタンプに基づいてデコードした後、ビデオデータをビデオデータ生成部（図示省略）に出力する。
さらに、サブピクチャデコーダは、データ分離部４から出力されたサブピクチャデータのうち、選択された複数のデータストリームのサブピクチャデータを抽出した後、デコードしてビデオデータ生成部に出力する。
このビデオデータ生成部は、ビデオ・サブピクチャ重畳部、出力部およびビデオコントローラを備えている。
このビデオコントローラは、ビデオ・サブピクチャ重畳部を制御し、ビデオデコーダ５ａから出力されたビデオデータとサブピクチャデコーダから出力された複数のサブピクチャデータをそれぞれ重畳してビデオ出力部７に送出する。
このビデオ出力部７は、ビデオデータ生成部から出力されたビデオデータをＮＴＳＣあるいはＰＡＬ方式のカラーテレビジョン信号に変換してテレビモニタ等に出力する。
【００１５】
オーディオデコーダ５ｂは、データ分離部４から出力されたオーディオデータのうち、選択されたデータストリームのオーディオデータを抽出し、オーディオデータの時間情報に基づいてデコードした後、そのオーディオデータをオーディオ出力部８に送出する。
このオーディオ出力部８は、図示省略しているが、アナログ信号出力端子とディジタル信号出力端子とを備えている。そして、オーディオデータをディジタル信号のまま出力する場合には、オーディオデコーダ５ｂから出力されたオーディオデータをディジタル信号出力端子より出力する。
一方、オーディオデータをアナログ信号で出力する場合には、オーディオデコーダ５ｂから出力されたオーディオデータをディジタル・アナログ変換器でナログ信号に変換し、アナログ信号出力端子より出力する。
なお、このアナログ信号出力端子には、Ｄ／Ａコンパレータ６の出力が接続されており、このＤ／Ａコンパレータ６からのスーパーオーディオ信号を直接に出力させるようになっている。
【００１６】
このＤ／Ａコンパレータ６は、前記データ復調部３で復調された１ビットのディジタルデータを２８ＫＨｚの周波数信号に変換してオーディオ出力部８と信号変換回路部とに送出する。
この信号変換回路部は、ＰＣＭ変換部９、ＦＦＴ１０および解析部１１からなり、表示部１２と出力端子部１３とが接続されている。
ＰＣＭ変換部９は、従来周知のＰＣＭ変換回路であり、データ復調部３からの周波数信号をＰＣＭ（パルスコードモデュレーション）信号に変換してＦＦＴ１０に出力する。
このＦＦＴ１０は、ＰＣＭ信号を受けてフーリエ積分を行うことにより、周波数関数を導き出してＳＡＣＤから再生されるオーディオ信号のスペクトル分析を行い、周波数と波形の合成関係を示す信号を解析部１１に送出する。
この解析部１１は、マイクロコンピュータであり、ＦＦＴからの出力信号を受けてその周波数マップ成分から最高周波数が有るか否かを解析し、最高周波数が有るときにその信号を表示部１２および出力端子部１３に出力する。
【００１７】
表示部１２は、図２に示すような液晶表示パネル１２ａを備えており、図示省略したＯＳＤ回路に接続されている。このＯＳＤ回路は、制御部１５の表示制御により液晶表示パネル１２ａに最高周波数のダイナミックレンジをデシベル（ｄｂ）で表示するようになっている。
このダイナミックレンジは、音声の最小レベルと最大レベルの倍率比を表すものであるが、本例では、ＳＡＣＤに記録された原音に含まれている最高周波数のダイナミックレンジを具体的な数値で表示することができる。
なお、出力端子部１３には、スペクトラムアナライザやグラフィックイコライザを接続し、前記ダイナミックレンジの大きさをバーでレベル表示するようにしている。
インターフェース部１４は、図示省略したリモコンの受信部、図２に示す本体側の各種キー１７，１８，２０等が接続されている。
【００１８】
リモコンは、本体側のキーとほぼ同じキーを備えるとともに、メニュー選択用のメニューキー、カーソルキー、決定キーおよびキャンセルキー等を設けている。なお、メニューには、ダイナミックレンジ表示用の選択項目も備えられている。このリモコンは、何れかのキーが操作されると指令内容に応じた赤外線信号を送信する。そして、この信号を受信部が受信すると、インターフェース部１４を介して制御部１５に伝送される。
また、本体側のキー操作部も、何れかのキーが操作されると指令信号がインターフェース部１４に送出され、制御部１５に伝送されるようになっている。
【００１９】
制御部１５は、ディスク再生部２、データ復調部３、データ分離部４、ＡＶデコーダ５、Ｄ／Ａコンパレータ６、ビデオ出力部７、オーディオ出力部８、ビデオデータ生成部、表示部１２およびインターフェース部１４等とその機能に応じて一方向または双方向性に接続されている。
この制御部１５は、マイクロコンピュータであり、キー操作部またはリモコンからの指令を受けて、ディスク再生装置全体の動作を制御するようになっている。特に、リモコンからダイナミックレンジ表示用のメニュー項目が選択されると、Ｄ／Ａコンパレータ６への入力信号をチェックし、ＯＳＤ回路および表示部１２を制御することにより、液晶表示パネル１２ａに最高周波数のダイナミックレンジを表示させる。
【００２０】
図２は、ディスク再生装置を示す正面図である。
このディスク再生装置は、本体のフロントパネル１６ａにパワースイッチ１７、キー操作部１８、トレイ挿入口１９、トレイ開閉キー２０および液晶表示パネル１２ａを設けている。
この液晶表示パネル１２ａには、ディスク１の再生に関する各種情報が表示されるとともに、ダイナミックレンジが英数字で“Ｄｙｎａｍｉｃｒａｎｇｅ：１０２ｄｂ”のように表示される。
【００２１】
次に、上記ディスク再生装置の動作について、図を参照しつつ説明する。
ユーザーが、ＤＶＤをトレイにセットしてリモコンにより再生操作を行うと、モニタ１１の画面１２に映像が表示され、スピーカから音声が放音される。
また、ＣＤをトレイにセットしリモコンで再生操作すると、スピーカから楽曲が放音される。さらに、ＳＡＣＤをトレイにセットしリモコンで再生操作すると、スピーカから楽曲が放音される。
この楽曲再生中、ユーザーがダイナミックレンジを知りたいと思ったときは、メニューキーを操作してダイナミックレンジ表示用のメニュー項目が選択する。制御部１５は、ダイナミックレンジの表示指令を受けてＯＳＤ回路および表示部１２を動作させる。
【００２２】
前記ＳＡＣＤ再生部から出力されたオーディオデータは、データ復調部３にて復調された後、Ｄ／Ａコンパレータ６によりアナログオーディオ信号に変換され、オーディオ出力部８に送出されるとともに、ＰＣＭ変換部９に導入されている。そして、このアナログオーディオ信号は、ＰＣＭ変換部９によりＰＣＭ信号に変換された後、このＰＣＭ信号がＦＦＴ１０により高速フーリエ変換され、その周波数信号が解析部１１に送出される。
この解析部１１は、周波数信号を受けてその周波数マップ成分から最高周波数が有るか否かを解析する。ここで、最高周波数が有ると判断したときは、その値を示す信号を表示部１２および出力端子部１３に出力する。
【００２３】
この表示部１２は、解析部１１からの信号を受けたとき、液晶表示パネル１２ａに最高周波数のダイナミックレンジをデシベル（ｄｂ）で表示する。図２は、現在再生中の音声信号に最高周波数があり、そのダイナミックレンジが、“１０２ｄｂ”であることを示している。
なお、出力端子部１３に、スペクトラムアナライザを接続している場合は、ダイナミックレンジの大きさがバーのレベルで表示されている。
これにより、ユーザーは、音楽を聴きながら最高周波数のダイナミックレンジを簡便に知ることができる。
なお、このディスク再生装置は、ＤＶＤ、ＣＤおよびＳＡＣＤの各ディスク１に記録されたＡＶ情報を再生可能な機種について説明したが、ＤＶＤとＣＤのコンポもしくはＳＡＣＤの記録情報のみ再生するディスク再生装置にも広く採用し得ることは勿論である。
【００２４】
【発明の効果】
以上説明したように、本発明のうち請求項１に記載の発明は、ＳＡＣＤから再生されたスーパーオーディオ信号をデコードした後、そのアナログオーディオ信号をＰＣＭ信号に変換し、さらに、高速フーリエ変換して得た周波数信号の周波数マップ成分を解析することにより、最高周波数が有れば直ぐにそのダイナミックレンジを表示するので、ユーザーは音楽を聴きながら簡便にダイナミックレンジを知ることができる効果がある。
【００２５】
また、請求項２に記載の発明は、ＳＡＣＤとは再生周波数帯域が異なるＣＤまたはＤＶＤの記録情報を再生して聴視できるうえ、ＳＡＣＤから再生されたスーパーオーディオ信号をデコードした後、そのアナログオーディオ信号をＰＣＭ信号に変換し、さらに、高速フーリエ変換して得た周波数信号の周波数マップ成分を解析することにより、最高周波数が有れば直ぐにそのダイナミックレンジを表示するので、ユーザーは音楽を聴きながら簡便にダイナミックレンジを知ることができる効果がある。
【図面の簡単な説明】
【図  １】本発明の実施の形態に係るディスク再生装置の電気的構成を示すブロック線図である。
【図  ２】表示部にダイナミックレンジが表示された状態を示すディスク再生装置の正面図である。
【符号の説明】
１  ディスク（スーパーオーディオＣＤ）
２  再生部
５ｂ  オーディオデコーダ
９  ＰＣＭ変換部
１０  ＦＦＴ
１１  解析手段
１２  表示手段
【図１】
0003693116.tif 000002
【図２】
0003693116.tif 000003